(57)【要約】【課題】  簡単に葉書に記入した情報を第三者が見られない状態として郵送することができるようにした郵便葉書用紙を提供する。【解決手段】  郵便葉書を作成する折り畳み用紙と、折り畳み用紙に剥離可能に貼付された２枚の剥離紙とからなり、折り畳み用紙は、縦方向に形成された２本の折り用ミシンを介し、表面に宛先記載部を有する第１の紙片と、中央に位置している第２の紙片と、折り用ミシンに沿って郵便はがきの文字が表示されている第３の紙片と、が横方向に連接され、折り畳み用紙を３つに鏡折りした際に、第３の紙片に表示された郵便はがきの文字が外部から目視可能となるように、第１の紙片の横幅寸法が、第２の紙片及び第３の紙片の横幅寸法よりも短い寸法を有し、第１の紙片及び第３の紙片の裏面に、接着後に剥離可能となる接着剤層が形成され、剥離紙は、第２の紙片及び第３の紙片の裏面に形成されている接着剤層にそれぞれ剥離可能に貼付されている。【選択図】        図１
2009220375.tif 000002
【特許請求の範囲】
【請求項１】
３つに鏡折りとして折り畳んで郵便葉書を作成する折り畳み用紙と、前記折り畳み用紙に剥離可能に貼付された２枚の剥離紙とからなる郵便葉書用紙であって、
前記折り畳み用紙は、縦方向に形成された２本の折り用ミシンを介して、表面に宛先記載部を有する第１の紙片と、中央に位置している第２の紙片と、前記折り用ミシンに沿って郵便はがきの文字が表示されている第３の紙片と、が順番に横方向に連接され、前記折り畳み用紙を３つに鏡折りした際に、前記第３の紙片に表示された郵便はがきの文字が外部から目視可能となるように、前記第１の紙片の横幅寸法が、前記第２の紙片及び前記第３の紙片の横幅寸法よりも短い寸法を有し、前記第１の紙片及び前記第３の紙片の裏面に、接着後に剥離可能となる接着剤層が形成され、
前記剥離紙は、前記第２の紙片及び前記第３の紙片の裏面に形成されている接着剤層にそれぞれ剥離可能に貼付されていることを特徴とする郵便葉書用紙。
【請求項２】
前記剥離用紙の表面には、郵便葉書を作成する方法に関する記載が表示されていることを特徴とする請求項１記載の郵便葉書用紙。
【請求項３】
前記第２の紙片の裏面には、前記郵便葉書用紙の使用者が記入するための記入欄が表示されていることを特徴とする請求項１記載の郵便葉書用紙。
【発明の詳細な説明】
【技術分野】
【０００１】
本発明は、３つに鏡折りとして折り畳んで郵便葉書を作成する折り畳み用紙と、前記折り畳み用紙に剥離可能に貼付された２枚の剥離紙とからなる郵便葉書用紙であって、記入した情報を第三者に見られない状態で郵便葉書を郵送できるようにした郵便葉書用紙に関する。
【背景技術】
【０００２】
従来、郵便葉書を用いて情報の伝達を行なう際に、個人情報の秘密保持を保つことから、郵便葉書に記載した個人情報の領域を、隠蔽用ラベルを剥離可能に貼り付けて外部から目視できない状態にして郵送することが行なわれている。
これらの隠蔽用ラベルについては、既に公知となっているものがある。（例えば、特許文献１〜３参照）
【０００３】
これらの隠蔽用ラベルは、葉書の所定部分に隠蔽用ラベルを剥離可能な接着剤などで貼付させているので、郵送途中において他の郵便物が隙間に入り込んだりして剥がれたり、開封などしてしまう危険性があり、秘密保持の点からも問題がある。
また、葉書を使用して情報の伝達を行う場合は、葉書の裏面に伝達情報を記載するが、葉書の片面では書ききれないこともあり、葉書の２面分の記入欄が必要な場合に対応できないという問題がある。
【０００４】
【特許文献１】特開平１０−１６６７６５号公報
【特許文献２】特開平１１−１２９６５４号公報
【特許文献３】特開平１１−３３４２５６号公報
【発明の開示】
【発明が解決しようとする課題】
【０００５】
そこで、本発明は、葉書の所定部分に隠蔽用ラベルを貼り付けることなく、簡単に葉書に記入した情報を第三者が見られない状態として郵送することができ、更に、葉書の２面分の記入領域を設けられるようにして、より多くの情報を伝達できるようにした郵便葉書用紙を提供する。
【課題を解決するための手段】
【０００６】
本発明の郵便葉書用紙は、３つに鏡折りとして折り畳んで郵便葉書を作成する折り畳み用紙と、前記折り畳み用紙に剥離可能に貼付された２枚の剥離紙とからなる郵便葉書用紙であって、前記折り畳み用紙は、縦方向に形成された２本の折り用ミシンを介して、表面に宛先記載部を有する第１の紙片と、中央に位置している第２の紙片と、前記折り用ミシンに沿って郵便はがきの文字が表示されている第３の紙片と、が順番に横方向に連接され、前記折り畳み用紙を３つに鏡折りした際に、前記第３の紙片に表示された郵便はがきの文字が外部から目視可能となるように、前記第１の紙片の横幅寸法が、前記第２の紙片及び前記第３の紙片の横幅寸法よりも短い寸法を有し、前記第１の紙片及び前記第３の紙片の裏面に、接着後に剥離可能となる接着剤層が形成され、前記剥離紙は、前記第２の紙片及び前記第３の紙片の裏面に形成されている接着剤層にそれぞれ剥離可能に貼付されていることを特徴とする。
【０００７】
また、本発明の郵便葉書用紙は、前記剥離用紙の表面には、郵便葉書を作成する方法に関する記載が表示されていることを特徴とする。
【０００８】
更に、本発明の郵便葉書用紙は、前記第２の紙片の裏面には、前記郵便葉書用紙の使用者が記入するための記入欄が表示されていることを特徴とする。
【発明の効果】
【０００９】
本発明の郵便葉書用紙は、３つに鏡折りとして折り畳んで郵便葉書を作成することで、葉書に記入した情報を覆い隠せるので、従来のように隠蔽用ラベルを貼り付ける手間もなく、葉書に貼付した隠蔽用ラベルの隙間に他の郵便物が入り込んだりして剥がれたり、開封などしてしまう危険性もなく、秘密保持の点からも効果的である。
また、葉書の２面分の記入領域を設けられるようにしてあるので、より多くの情報を伝達できるという効果がある。
【発明を実施するための最良の形態】
【００１０】
以下、本発明の実施形態に係る郵便葉書用紙を、図面に基づいて詳細に説明する。
図１は、実施形態に係る郵便葉書用紙の表面の平面図、図２は、実施形態に係る郵便葉書用紙の裏面の平面図、図３は、実施形態に係る郵便葉書用紙の裏面から剥離紙を剥離させた状態を示す平面図、図４は、図２のＡ−Ａ線断面図である。
実施形態に係る郵便葉書用紙１は、図１に示すように、３つに鏡折りとして折り畳んで郵便葉書を作成する折り畳み用紙２と、前記折り畳み用紙２に剥離可能に貼付された２枚の剥離紙３，４とからなる。
【００１１】
折り畳み用紙２は、横方向に長い寸法からなる矩形形状を有しており、横方向に所定幅の間隔をあけて、縦方向に形成された２本の折り用ミシン５，６を介して、表面に宛先記載部を有する第１の紙片２ａと、中央に位置している第２の紙片２ｂと、前記折り用ミシン６に沿って郵送物が郵便葉書であることを示すための「郵便はがき」の文字８が表示されている第３の紙片２ｃと、が順番に横方向に連接されている。
表面に宛先記載部７を有する第１の紙片２ａが、郵便葉書用紙１で作成された郵便葉書の表面となる。
【００１２】
第３の紙片２ｃに表示されている「郵便はがき」の文字８は、折り用ミシン６に沿って表示されているが、郵便葉書用紙１を３つに鏡折りして郵便葉書を作成して際に、「郵便はがき」の文字８と、第１の紙片２ａの表面の宛先記載部７とが、作成された郵便葉書の表面となるように構成されている。
【００１３】
つまり、表面に宛先記載部を有する第１の紙片２ａは、折り畳み用紙２を２本の折り用ミシン５，６から３つに鏡折り状態で折り畳んだ際に、第３の紙片２ｃに表示された郵便はがきの文字８が外部から目視可能となるように、第１の紙片２ａの横幅寸法が、第２の紙片２ｂ及び前記第３の紙片２ｃの横幅寸法よりも短い寸法を有している。
【００１４】
これにより、第１の紙片２ａの横幅寸法が、第２の紙片２ｂ及び前記第３の紙片２ｃの横幅寸法よりも短い寸法であることから、折り畳み用紙２を２本の折り用ミシン５，６から３つに鏡折り状態で折り畳んだ際に、第３の紙片２ｃの上側に重なった第１の紙片２ａが、第３の紙片２ｃの表面の全てを覆い隠すことなく、折り用ミシン６に沿って表示されている「郵便はがき」の文字の領域を外部から目視できるようにして、郵便葉書の作成ができるように折り畳み用紙２の寸法が設定されている。
【００１５】
また、図２から図４に示すように、折り畳み用紙２の中で、第１の紙片２ａ及び第３の紙片２ｃの裏面には、接着後に剥離可能となる特殊な接着剤を用いた再剥離可能な接着剤層９，１０がそれぞれに形成されている。
第１の紙片２ａ及び第３の紙片２ｃの裏面に設けられた再剥離可能な接着剤層９，１０は、密着面の密着及び再剥離を容易にするように調整されており、バインダー成分と粘着性微球成分等が混合されている。
バインダー成分は、アクリルエマルジョン型粘着剤等が用いられ、粘着性微球成分には、大きさが１０〜１５０μｍの微粒子状でメタアクリル酸エステル等の材質が使用される。
【００１６】
図１に示すように、郵便葉書用紙１で作成された郵便葉書が受取人に届く途中で、内部に記載された文字などを、紙片を透かして見られないように、第２の紙片２ｂの表面には、透かし見を防止するための模様などのカムフラージュ用印刷模様１１が施されている。
また、第３の紙片２ｃの表面には、差出人の住所や氏名などを記載する差出人欄などが表示されている。
【００１７】
図４に示すように、第２の紙片２ｂ及び第３の紙片２ｃの裏面に形成されているそれぞれの接着剤層９，１０には、各々に剥離紙３，４が剥離可能に貼付されている。
郵便葉書用紙１を使用して郵便葉書を作成する場合には、必要事項を記入した後に、剥離紙３，４を剥離させて、折り畳み用紙２を折り畳むことで郵便葉書の作成を行なう。
【００１８】
次に、郵便葉書用紙１を用いて郵便葉書を作成する手順を、図５、図６を用いて説明する。
図５には、実施形態に係る郵便葉書用紙１の折り畳み用紙２から、第３の紙片２ｃを折り畳んだ状態を示す斜視図が表示され、図６には、実施形態に係る郵便葉書用紙の折り畳み用紙を、３つに鏡折りして郵便葉書を作成した状態を示す斜視図が表示されている。
郵便葉書用紙１の利用者は、郵便葉書用紙１の所定部分に記入すべき事項を全て記入した後、第３の紙片２ｃの裏側に貼付されている剥離紙４を剥離させて、図５に示すように、第３の紙片２ｃを折り用ミシン６から折り畳んで、第３の紙片２ｃの裏面と、第２の紙片２ｂの裏面とを押し付けて、接着剤層１０により第３の紙片２ｃと第２の紙片２ｂを接着させる。
【００１９】
次に、第１の紙片２ａの裏面に貼付されている剥離紙３を剥離させて、第１の紙片２ａを折り用ミシン５から折り畳んで、図６に示すように、第１の紙片２ａの裏面側を、第３の紙片２ｃの表面上に重ね合わせて、第１の紙片２ａの裏面に形成されている接着剤層９により第１の紙片２ａと第３の紙片２ｃを接着させる。
これにより、折り畳み用紙２の各紙片である、第１の紙片２ａと、第２の紙片２ｂと、第３の紙片２ｃとを、２本の折り用ミシン５，６から３つに鏡折り状態で折り畳まれた郵便葉書を作成することができ、その郵便葉書を郵送する。
【００２０】
図７には、実施形態に係る郵便葉書用紙１の折り畳み用紙２で作成した郵便葉書から第１の紙片２ａの一部を捲り上げた状態を示す斜視図が表示されている。
図７に示すように、その郵便葉書の受取人は、まず、第１の紙片２ａの一端部分を摘んで引き上げることで、剥離可能に接着状態にある第１の紙片２ａを第３の紙片２ｃ上から捲り上げることができる。
更に、図示はしていないが、第３の紙片２ｃの一端部分を摘んで引き上げることで、剥離可能に接着状態にある第３の紙片２ｃを第２の紙片２ｂ上から捲り上げることができる。
【００２１】
また、図８には、本発明の他の実施形態に係る郵便葉書用紙の表面の平面図が表示され、図９には、本発明の他の実施形態に係る郵便葉書用紙の裏面の平面図が表示されている。
図８及び図９に示した他の実施形態に係る郵便葉書用紙１ａでは、カムフラージュ用印刷模様１１が施されている位置を変更させた場合の例が示されており、第２の紙片２ｂの裏面側にカムフラージュ用印刷模様１１を施すようにしてある。
これにより、第２の紙片２ｂの表面側には、例えば、アンケート記入欄など所望の記入欄を設けることができ、郵便葉書用紙から郵便葉書を作成した場合に、郵便葉書の裏面側にも自由に記入を行なうことができる。
【００２２】
上記のように、本発明の郵便葉書用紙は、３つに鏡折りとして折り畳んで郵便葉書を作成することができる。
これにより、葉書に記入した情報を覆い隠せるので、従来のように隠蔽用ラベルを貼り付ける手間もなく、葉書に貼付した隠蔽用ラベルの隙間に他の郵便物が入り込んだりして剥がれたり、開封などしてしまう危険性もない。
【図面の簡単な説明】
【００２３】
【図１】実施形態に係る郵便葉書用紙の表面の平面図である。
【図２】実施形態に係る郵便葉書用紙の裏面の平面図である。
【図３】実施形態に係る郵便葉書用紙の裏面から剥離紙を剥離させた状態を示す平面図である。
【図４】図２のＡ−Ａ線断面図である。
【図５】実施形態に係る郵便葉書用紙の折り畳み用紙から、第３の紙片を折り畳んだ状態を示す斜視図である。
【図６】実施形態に係る郵便葉書用紙の折り畳み用紙を、３つに鏡折りして郵便葉書を作成した状態を示す斜視図である。
【図７】実施形態に係る郵便葉書用紙の折り畳み用紙で作成した郵便葉書から第１の紙片の一部を捲り上げた状態を示す斜視図である。
【図８】本発明の他の実施形態に係る郵便葉書用紙の表面の平面図である。
【図９】本発明の他の実施形態に係る郵便葉書用紙の裏面の平面図である。
【符号の説明】
【００２４】
１，１ａ  郵便葉書用紙
２  折り畳み用紙
２ａ  第１の紙片
２ｂ  第２の紙片
２ｃ  第３の紙片
３，４  剥離紙
５，６折り用ミシン
７  宛先記載部
８  「郵便はがき」の文字
９，１０  再剥離可能な接着剤層
１１  カムフラージュ用印刷模様
【図１】
2009220375.tif 000003
【図２】
2009220375.tif 000004
【図３】
2009220375.tif 000005
【図４】
2009220375.tif 000006
【図５】
2009220375.tif 000007
【図６】
2009220375.tif 000008
【図７】
2009220375.tif 000009
【図８】
2009220375.tif 000010
【図９】
2009220375.tif 000011